(57)【特許請求の範囲】
【請求項１】
給湯器本体と、該本体から浴槽に給湯する風呂給湯系統と、を具備する潜熱回収型給湯器であって、
前記給湯器本体が、
ガスバーナと、
該バーナの燃焼排ガス中の水蒸気の潜熱によって水を加熱する潜熱回収熱交換器と、
該熱交換器で生じる凝縮水（ドレイン）を受けるドレイン受けと、
該ドレイン受けに溜まったドレインを前記風呂給湯系統に送るドレイン送出系統と、
前記浴槽の水位を検知するセンサと、
を備え、
前記ドレイン受けに、「水位上」及び「水位中」を検出する水位センサが付設されており、
ドレイン水位が中の場合には、前記浴槽の水位センサの検出値が水位ゼロであるときに前記ドレイン送出を行い、その後、風呂給湯系統のパージを行い、
ドレイン水位が上となった場合には、任意のタイミングでドレイン排出を行うことを特徴とする潜熱回収型給湯器。
【請求項２】
前記ドレイン受けに中和剤が封入されている、もしくは、中和剤注入手段が付設されていることを特徴とする請求項１記載の潜熱回収型給湯器。
【請求項３】
前記ドレイン受けに水道水注入手段が付設されていることを特徴とする請求項１記載の潜熱回収型給湯器。
【請求項４】
前記浴槽の水位センサの検出値が水位ゼロになったタイミングで前記ドレイン送出を行うことを特徴とする請求項１記載の潜熱回収型給湯器。
【請求項５】
給湯器本体と、該本体から浴槽に給湯する風呂給湯系統と、を具備する潜熱回収型給湯器であって、
前記給湯器本体が、
ガスバーナと、
該バーナの燃焼排ガス中の水蒸気の潜熱によって水を加熱する潜熱回収熱交換器と、
該熱交換器で生じる凝縮水（ドレイン）を受けるドレイン受けと、
該ドレイン受けに溜まったドレインを前記風呂給湯系統に送るドレイン送出系統と、
前記浴槽の水位を検知するセンサと、
を備え、
ドレイン水位が中の場合には、前記風呂給湯系統にて追い焚き運転を行うタイミングで前記ドレイン送出を行い、
ドレイン水位が上となった場合には、任意のタイミングでドレイン排出を行うことを特徴とする潜熱回収型給湯器。
【請求項６】
前記ドレイン受けのドレインを前記風呂給湯系統へ送出するドレイン管が、前記風呂給湯系統の浴槽への戻り管路に、ベンチェリ構造を介して接続されていることを特徴とする請求項１〜５いずれか１項記載の潜熱回収型給湯器。
【発明の詳細な説明】
【０００１】
【発明の属する技術分野】
本発明は、燃焼排ガスの潜熱エネルギを回収して水を加熱する潜熱回収型給湯器に関する。特には、水蒸気が復水して生じたドレインの排出系統に改良を加え、配管工事の手間がかからないようにした潜熱回収型給湯器に関する。
【０００２】
【従来の技術】
潜熱回収型給湯器は、近年では熱効率が９０％以上のものも開発されつつあり、省エネ機器として注目されている。
図４は、従来の潜熱回収型給湯器の本体の構成と主たる配管の系統を模式的に示す図である。
給湯器本体５０は、台所や洗面所へ温水を供給する主給湯系統５１と、風呂へのお湯はりや追い焚きを行う風呂給湯系統５３を有する。主給湯系統５１の燃焼室５５内には、一次熱交換器５７、二次（潜熱回収）熱交換器５９、バーナ６１、燃焼ファン６３等が備えられている。風呂給湯系統５３の燃焼室６５内には、風呂熱交換器６７、バーナ６９等が備えられている。
【０００３】
各バーナ６１、６９には、ガス供給源からガス供給管７１を通って燃焼用ガスが供給される。ガス供給管７１から各バーナへの分岐部には元ガス電磁弁７３が備えられている。各バーナへ分岐したガス供給管には、各々ガス比例弁７５とガス電磁弁７７が備えられている。各給湯系統のバーナへ供給されるガスの量はガス比例弁７５で制御され、各バーナへの供給のオンオフはガス電磁弁７７で操作される。また、主給湯系統５１へのガス供給管には二つのガス切替弁７９が設けられており、主給湯系統５１へ供給されるガス量を調整する。
各バーナには点火プラグ８１、フレームロッド８５が備えられている。各点火プラグ８１はイグナイター８３で点火されて、各バーナ６１、６９に供給された燃焼用ガスを燃焼させる。フレームロッド８５は火炎の有無を検知して、不完全燃焼を防ぐ。
【０００４】
主給湯系統５１は、水源から水が供給される給水配管８７と、台所や洗面所に温水を供給する給湯配管８９を有する。給水配管８７は、燃焼室５５内の二次熱交換器５９を通過し、燃焼室５５を出て、再度燃焼室内の一次熱交換器５７を通過し、給湯配管８９に繋がっている。燃焼室５５内の燃焼ファン６３、バーナ６１、一次熱交換器５７、二次交換器５９は、燃焼ファン６３の送風方向に、順に、バーナ６１、一次熱交換器５７、二次熱交換器５９が並ぶように配置されている。
【０００５】
燃焼室５５内の二次熱交換器５９の下方には、受け皿９１が取り付けられている。この受け皿９１はドレイン配管９３を介してドレイン受け９５に連通している。ドレイン受け９５の底面には水抜き栓９７が設けられ、上部には排水管９９が設けられている。
【０００６】
次に、一次熱交換器５７と二次熱交換器５９による潜熱回収作用について説明する。
給水配管８７から供給された水は、最初に二次熱交換器５９を通過する。そして、次に一次熱交換器５７を通過する。ここで、一次熱交換器５７においては、バーナ６１に燃焼用ガスが供給されており、点火プラグ８１で点火される。そして燃焼ファン６３から燃焼用空気が送られて燃焼し、火炎と燃焼ガスを発生する。この火炎による輻射熱と燃焼ガスによって一次熱交換器５７が加熱され、管内を流れる水が加熱される。そして、燃焼ガスはファン６３によって上方、すなわち、二次熱交換器５９方向へ送られる。燃焼ガス中に含まれる水蒸気が二次熱交換器５９に接し、二次熱交換器５９の配管を流れる水が水蒸気の潜熱を吸収する。これにより、水蒸気は凝縮し、水に変化する。
【０００７】
水蒸気から変化した水は、受け皿９１に滴下し、ドレイン配管９３を通ってドレイン受け９５に溜まる。ドレイン受け９５が所定の水位に達すると排水管９９から排水される。また、燃焼ガスは、二次熱交換器５９の側方に設けられた排気口１０１から排気される。
【０００８】
一方、二次熱交換器５９内を通過している水は、燃焼ガスの凝縮熱を吸収して温度が上昇する。そして、温度が上昇した水が一次熱交換器５７へ送られるため、最終的に供給される温水は効率的に加熱される。
【０００９】
給水配管８７と給湯配管８９はバイパス電磁弁１０３が付設されたバイパス管１０５で接続している。給水配管８７、二次熱交換器出側の給湯配管８９ａ、バイパス管下流の給湯配管８９にはサーミスタ１０７が備えられている。これらのサーミスタ１０７は各配管内の水の温度を検知する。これらの温度から給湯配管８９から供給される温水の温度が適宜な温度となるように、バイパス管１０５のバイパス電磁弁１０３を調整して、温水と水の混合量を変化させる。
【００１０】
また、給水配管８７には水量センサ１０９が備えられており、配管内の水の量を調整している。さらに、給湯配管８９には給湯ハイリミットスイッチ１１１が備えられている。ハイリミットスイッチ１１１は、熱交換器５１内の温度が以上に高くなった場合に作動し、給湯器５０の電気回路を遮断する。給湯配管８９にはまた水制御弁１１３が備えられ、給湯配管８９から供給される温水の圧力を制御する。さらに、給水配管の一部には凍結予防ヒータ１１５が備えられている。
【００１１】
次に、風呂給湯系統５３について説明する。
風呂給湯系統５３の燃焼室６５内には、風呂熱交換器６７、バーナ６９等が備えられている。風呂給湯系統５３は、主給湯系統５１の給湯配管８９及び給水配管８７から分岐した風呂給湯配管１１７と、燃焼室６５から浴槽１１９へ往く往き配管１２１と、浴槽１１９から燃焼室６５へ戻る戻り配管１２３とを有する。往き配管１２１と戻り配管１２３は、浴槽１１９と風呂熱交換器６７間の循環管路を構成している。浴槽１１９内の水位は水位センサ１４５により検知されている。
【００１２】
風呂給湯配管１１７には、給湯配管８９からの分岐管１１７ａと給水配管８７からの分岐管１１７ｂが合流している。給湯配管からの分岐管１１７ａには、注湯電磁弁１２５と逆止弁１２７が付設されており、給水配管からの分岐管１１７ｂにはバキュームブレーカ１２９と注水電磁弁１３１が付設されている。バキュームブレーカ１２９と逆止弁１２７は、断水等で給水圧が負圧になった場合に作動して、浴槽１１９の水が逆流することを防ぐ。注水電磁弁１３１、注湯電磁弁１２５は風呂給湯系統５３への水又は温水の供給をオンオフする。
各分岐管の合流点の下流には注湯量センサ１３３と逆止弁１３５が備えられている。注湯量センサ１３３は、風呂給湯配管１１７から循環管路へ供給される温水の量を検知する。逆止弁１３５は、風呂給湯系統５３から主給湯系統５１への水の逆流を防ぐ。
【００１３】
風呂給湯配管１１７は、切替弁１３７を介して戻り配管１２３に接続している。戻り配管１２３にはポンプ１３９が設けられており、循環管路内で温水を循環させる。ポンプ１３９には過圧防止安全装置１４１が備えられ、循環水の温度変化に伴う循環管路内の水圧を制御している。戻り配管１２３には水流スイッチ１４３が備えられている。水流スイッチ１４３は循環管路内の循環水の流れ方向を検知して循環水の逆流を防ぐ。戻り配管１２３には、さらに水位センサ１４５とサーミスタ１４７が備えられている。水位センサ１４５は浴槽内の水位を検知している。サーミスタ１４７は戻り管路内の温水の温度を検知し、この温度から浴槽１１９へ送られる温水の温度が調整される。
【００１４】
風呂熱交換器６７では、バーナ６９に燃焼用ガスが供給されており、点火プラグ８１で点火される。そして燃焼ファン６３から燃焼用空気が送られて燃焼し、火炎と燃焼ガスを発生する。この火炎による輻射熱と燃焼ガスによって風呂熱交換器６７が加熱され、風呂給湯配管内の温水を加熱する。追い焚きの際は、ポンプ１３９の運転によって風呂交換器６７で加熱された温水が往き配管１２１を通って浴槽１１９に送られる。そして、浴槽１１９から戻り管路１２３を通って風呂熱交換器６７に送られ、循環管路内を循環する。
【００１５】
給湯器５０の本体内には複数の温度ヒューズが１４９備えられており、機器内部の温度が以上に高くなった場合に作動して給湯器５０の電気回路を遮断する。また、上述のサーミスタで検知されて温度信号は本体内に設けられた電装基板１５１に入力されて、各弁、ファン等の制御が行われる。電装基板１５１は浴室リモコン１５３や台所リモコン１５５に接続しており、各部の操作や温度設定をリモコン操作で行うことができる。
【００１６】
【発明が解決しようとする課題】
従来の潜熱回収型給湯器は、上述のように、水蒸気の凝縮によって発生した凝縮水（ドレイン）を排水するための排水管９９を設ける必要がある。ところが、例えば近年の集合住宅のように、片側が廊下に面するパイプシャフト内に給湯器を設置するような場合には、給湯器の近傍に排水設備が存在しないため、ドレイン排出用の配管工事を行うのは非常に手間がかかる。
【００１７】
本発明は上記の問題点に鑑みてなされたものであって、ドレイン排水の配管工事が不要な潜熱回収型給湯器を提供することを目的とする。
【００１８】
【課題を解決するための手段】
本発明の第一の潜熱回収型給湯器は、給湯器本体と、該本体から浴槽に給湯する風呂給湯系統と、を具備する潜熱回収型給湯器であって、前記給湯器本体が、ガスバーナと、該バーナの燃焼排ガス中の水蒸気の潜熱によって水を加熱する潜熱回収熱交換器と、該熱交換器で生じる凝縮水（ドレイン）を受けるドレイン受けと、該ドレイン受けに溜まったドレインを前記風呂給湯系統に送るドレイン送出系統と、前記浴槽の水位を検知するセンサと、を備え、前記ドレイン受けに、「水位上」及び「水位中」を検出する水位センサが付設されており、ドレイン水位が中の場合には、前記浴槽の水位センサの検出値が水位ゼロであるときに前記ドレイン送出を行い、その後、風呂給湯系統のパージを行い、ドレイン水位が上となった場合には、任意のタイミングでドレイン排出を行うことを特徴とする。なお、本明細書中では、「浴槽の水位センサの検出値が水位ゼロ」のことを単に「浴槽の水位がゼロ」ともいう。
ドレインを風呂給湯系統に送り、風呂水とともに排水するため、ドレインの排水設備が不要になる。
本発明の第二の潜熱回収型給湯器は、給湯器本体と、該本体から浴槽に給湯する風呂給湯系統と、を具備する潜熱回収型給湯器であって、前記給湯器本体が、ガスバーナと、該バーナの燃焼排ガス中の水蒸気の潜熱によって水を加熱する潜熱回収熱交換器と、該熱交換器で生じる凝縮水（ドレイン）を受けるドレイン受けと、該ドレイン受けに溜まったドレインを前記風呂給湯系統に送るドレイン送出系統と、前記浴槽の水位を検知するセンサと、を備え、ドレイン水位が中の場合には、前記風呂給湯系統にて追い焚き運転を行うタイミングで前記ドレイン送出を行い、ドレイン水位が上となった場合には、任意のタイミングでドレイン排出を行うことを特徴とする。
【００１９】
本発明においては、  前記ドレイン受けに中和材が封入されている、もしくは、中和剤注入手段を付設することとすれば、ドレイン排水を中和してＰＨを低下させることができる。または、  前記ドレイン受けに水道水注入手段を付設すれば、ドレインを水道水で中和させることができる。
さらに、  前記ドレインの送出後に前記風呂給湯系統をパージすることとすれば、ドレインが給湯器内に貯留されている時間を短くすることができるため、器内の各部材の腐食を防ぐことができる。
【００２０】
本発明においては、  前記浴槽の水位を検知するセンサを給湯器内に備え、  前記浴槽の水位がゼロであるときに前記ドレイン送出を行い、その後、風呂給湯系統のパージを行うことが好ましい。浴槽の水位がゼロのときに浴槽にドレインを送出して、風呂給湯系統をパージすることにより、浴槽で使う水にドレインが混合することがなく、使用者に不快感を与えない。
特には、  前記浴槽の水位がゼロになったタイミングで前記ドレイン送出を行い、その後、風呂給湯系統のパージを行うことが好ましい。風呂の水抜き時に水位がゼロになったタイミングでドレインの送出を行うと、使用者に違和感を与えない。
【００２１】
本発明においては、  前記ドレイン受けに、「水位上」及び「水位中」を検出する水位センサが付設されており、  前記ドレイン受けの水位が中かつ前記浴槽の水位がゼロのときに前記ドレイン送出を行うことが好ましい。または、  前記ドレイン受けの水位が中かつ前記浴槽の水位がゼロになったタイミングで前記ドレイン送出を行うことが好ましい。
ドレイン受けに貯留されたドレインが適度な量になったときに排水することができる。
【００２２】
または、  前記風呂給湯系統にて追い焚き運転を行うタイミングで前記ドレイン送出を行うこともできる。ドレインは、多量の浴槽水と混合されて十分に希釈されて浴槽に排出される。なお、次述するベンチェリー構造と併用すれば、ドレインと浴槽水との混合は一層促進できる。このため、入浴者に違和感を与えることは実質的にないといえる。また、風呂給湯系統の循環ポンプ１３９（図４参照）により風呂水を循環させるタイミングでドレインを吸い込む力が働く。
【００２３】
本発明においては、  前記ドレイン受けのドレインを前記風呂給湯系統へ送出するドレイン管が、前記風呂給湯系統の浴槽への戻り管路に、ベンチェリー構造を介して接続すれば、ドレインをスムーズに風呂給湯系統に送出することができる。
【００２５】
【発明の実施の形態】
以下、図面を参照しつつ説明する。
図１は、本発明の第１の実施の形態に係る潜熱回収型給湯器の本体の構成と主たる配管の系統を模式的に示す図である。
この風呂給湯器１は、ドレイン受けの構造及びドレイン受け近傍の配管のみが、図４の風呂給湯器と異なり、他の部分は、図４の風呂給湯器と同じ構造・作用である。
【００２６】
この風呂給湯器１においては、ドレイン受け３に排水管が設けられていない。そして、ドレイン受け３は、ドレイン管５を介して、風呂給湯系統の往き管路１２１に接続している。ドレイン管５には、ポンプ７、逆止弁９、排水電磁弁１１が備えられている。ポンプ７は、ドレイン受け３から往き管路１２１へドレインを送り、逆止弁９は、往き管路１２１からドレイン受け３への逆流を防ぐ。排水電磁弁１１は、ドレイン管５を開閉する。なお、ドレイン管５と往き管路１２１の合流部の下流側の往き管路１２１には、風呂電磁弁１３が備えられている。
【００２７】
ドレイン受け３には、水位センサ１５が二ヶ所に設けられており、ドレイン受け３内のドレイン水の水位を検知する。これらのセンサ１５のＯＮ・ＯＦＦにより、水位上、水位中、水位低の３段階でドレイン受け３内の水位を知ることができる。ドレイン受け３には、中和剤として炭酸カルシウム（固体）が封入されている。
【００２８】
ドレインを排出する際は、排水電磁弁１１と風呂電磁弁１３を開き、ポンプ７を作動させる。ドレイン受け３内のドレインは、ドレイン管５を通って往き配管１２１に入り、浴槽１１９に送られ浴槽の排出口から排水される。
【００２９】
このドレイン排出は、１）ドレイン水位が上昇したとき、２）風呂追い焚き時、３）入浴終了後の排水時、などのタイミングで行う。例えば、１）ドレイン水位が上昇したときに、ドレイン水位が中の場合には、３）入浴終了後の排水時まで待ってドレインを排出する。あるいは、待っているうちにドレイン水位が上となった場合には、任意のタイミングでドレイン排出を行う。
【００３０】
図２は、ドレイン排水の制御の一例を示すフローチャートである。
最初に、Ｓ１において、使用者が浴槽の排水栓を抜く。そして、Ｓ２において、浴槽の水位センサの検出値が、水位ゼロであるかどうか検知する。浴槽の水位がゼロであれば、Ｓ３で、ドレイン管５の排水弁１１及び往き配管１２１の風呂電磁弁１３を開とする。そして、Ｓ４でドレインポンプ７を作動させる。
【００３１】
そして、Ｓ５において、ドレイン受け３に付設された水位センサ１５が、水位が中を検知したかどうかを判断する。水位が中以下でなければ、Ｓ３とＳ４を繰り返す。水位が中以下になると、Ｓ６でドレインポンプ７を停止し、Ｓ７で排水弁１１を閉める。そして、Ｓ８で風呂給湯系統をパージする。すなわち、排水弁１１を閉じ、風呂電磁弁１３を開いた状態で、風呂給水系統に温水を送り、風呂給湯系統のポンプを所定時間作動させて、循環管路内に温水を循環させた後排水する。その後、Ｓ９で風呂電磁弁１１を閉める。
【００３２】
なお、この方法によれば、ドレインを排水した後に風呂給湯系統をパージすることになるため、ドレインが薄められて、配管等がドレインによる腐食を防ぐことができる。
【００３３】
また、２）風呂追い焚き時に行う場合は、追い焚き操作を行うとともに排水弁１１を開いてポンプ７を作動させ、ドレインを往き管路１２１から浴槽１１９に送出する。ドレインを浴槽往きのお湯と混合させると、ＰＨは６．５程度となり、人体に影響を与えない。
【００３４】
図３は、本発明の第２の実施の形態に係る潜熱回収型給湯器の本体の構成と主たる配管の系統を模式的に示す図である。
この風呂給湯器２１も、ドレイン受けの構造及びドレイン受け近傍の配管のみが、図４の風呂給湯器と異なり、他の部分は、図４の風呂給湯器と同じ構造・作用を有する。この風呂給湯器２１は、ドレイン受け２３から延びるドレイン管２５が、風呂給湯系統の戻り管路１２３に接続している。
【００３５】
ドレイン受け２３はドレイン管２５で、戻り管路１２３の水位センサ１４５の下流に接続している。ドレイン管２５には逆止弁２７と排水弁２９が付設されている。また、戻り管路１２３の水位センサ１４５の上流には風呂電磁弁３１が付設されている。ドレイン受け２３には水位スイッチ３３が付設されている。
【００３６】
ドレイン管２５と戻り管路１２３の接続部は、図に拡大して示すようにベンチェリー構造を有する。すなわち、接続部付近の戻り配管１２３の断面積は、他の部分よりも狭くなっている。この部分にドレイン管２５を接続することにより、ドレイン管２５からドレインを抵抗なく戻り管路１２３内の水に合流させることができる。
【００３７】
ドレイン受け２３の水位スイッチ３３で検出されたドレインの量が所定の量を越えて、ドレインを排出する際は、排水弁２９を開いて、風呂電磁弁３１を閉じる。そして、風呂給湯系統のポンプ１３９を作動させると、ドレインはドレイン受け２３からドレイン管２５を通って戻り配管１２３に送られる。この例においては、風呂給湯系統のポンプ１３９を使用するため、ドレイン管２５に別個のポンプを設ける必要がない。
【００３８】
また、風呂電磁弁３１を開いてポンプ１３９を作動させれば、ドレインを浴槽内の風呂水とともに循環管路内に流すことができる。したがって、ドレインを風呂水で薄めることができるため、配管等の腐食を防ぐことができる。
【００３９】
また、この例においては、追い焚き運転時にドレイン送出を行うと、ドレインが多量の浴槽水を混合されて十分に希釈される。さらに、ドレインと浴槽水との混合は、上述のベンチェリー構造部で行われるため、両者の混合が一層促進される。また、追い焚き運転は比較的頻繁に行われることもあるため、ドレイン送出量が少なく一回の作業で送出されるドレインの量は通常そう多くない。このような少量のドレインがお湯に混合されていても入浴者へは影響を与えず、入浴者への違和感もないと思われる。
【００４０】
また、追い焚き運転時に循環ポンプ１３９を作動させるタイミングでドレインを吸い込む力が働くため電磁弁３１が不要になる。
【００４１】
さらに、ドレイン受け２３の上部には、電磁弁３７を介して水源からの水道水注入配管３５が設けられている。ドレインに水道水を注入することにより、ドレインが中和される。一例では、ＰＨ４のドレインと水道水を同体積で混合した混合水のＰＨは５であった。理論的には、ある溶液のＰＨを１変化させるには、この溶液の９倍の体積の純水を加える必要がある。しかし、水道水に含まれるイオンの関係から、上記の結果になったものと考えられる。
【００４２】
このように、水道水注入手段を設けて、適宜な量の水道水をドレインと混合することにより、ドレインのアルカリ性を緩和できる。
【００４３】
【発明の効果】
以上の説明から明らかなように、本発明によれば、ドレイン受けに溜まったドレインを風呂給湯系統へ送出するため、ドレイン排水用の配管工事が不要な潜熱回収型給湯器を提供することができる。
【図面の簡単な説明】
【図１】本発明の第１の実施の形態に係る潜熱回収型給湯器の本体の構成と主たる配管の系統を模式的に示す図である。
【図２】ドレイン排水の制御の一例を示すフローチャートである。
【図３】本発明の第２の実施の形態に係る潜熱回収型給湯器の本体の構成と主たる配管の系統を模式的に示す図である。
【図４】従来の潜熱回収型給湯器の本体の構成と主たる配管の系統を模式的に示す図である。
【符号の説明】
１  風呂給湯器                      ３  ドレイン受け
５  ドレイン管                      ７  ポンプ
９  逆止弁                        １１  排水電磁弁
１３  風呂電磁弁                    １５  水位センサ
２１  風呂給湯器                    ２３  ドレイン受け
２５  ドレイン管                    ２７  逆止弁
２９  排水弁                        ３１  風呂電磁弁
３５  水道水注入配管                ３７  電磁弁
３３  水位スイッチ                  ５０  給湯器本体
５１  主給湯系統                    ５３  風呂給湯系統
５５  燃焼室                        ５７  一次熱交換器
５９  二次（潜熱回収）熱交換器      ６１  バーナ
６３  燃焼ファン                    ６５  燃焼室
６７  風呂熱交換器                  ６９  バーナ
７１  ガス供給管                    ７３  元ガス電磁弁
７５  ガス比例弁                    ７７  ガス電磁弁
７９  ガス切替弁                    ８１  点火プラグ
８３  イグナイター                  ８５  フレームロッド
８７  給水配管                      ８９  給湯配管
９１  受け皿                        ９３  ドレイン配管
９７  水抜き栓                      ９９  排水管
１０１  排気口                      １０３  バイパス電磁弁
１０５  バイパス管                  １０７  サーミスタ
１０９  水量センサ                  １１１  ハイリミットスイッチ
１１３  水制御弁                    １１５  凍結予防ヒータ
１１７  風呂給湯配管                １１９  浴槽
１２１  往き配管                    １２３  戻り配管
１２５  注湯電磁弁                  １２７  逆止弁
１２９  バキュームブレーカ          １３１  注水電磁弁
１３３  注湯量センサ                １３５  逆止弁
１３７  切替弁                      １３９  ポンプ
１４１  過圧防止安全装置            １４３  水流スイッチ
１４５  水位センサ                  １４７  サーミスタ
１４９  温度ヒューズ                １５１  電装基板
１５３  浴室リモコン                １５５  台所リモコン
【図１】
0003801885.tif 000002
【図２】
0003801885.tif 000003
【図３】
0003801885.tif 000004
【図４】
0003801885.tif 000005